(57)【要約】      （修正有）【課題】小さな陳列面を形成でき、おにぎりや和菓子などの商品のイメージである和風を印象付け、陳列の演出効果の高い商品陳列トレー及び商品陳列トレー装置を提供する。【解決手段】商品が載置される略矩形状の底部１と、底部１の縁部に形成される側部２とを有する樹脂製の浅底のトレーであって、４つの側部の中、対峙する２つの側部２１、２３が、底部１から円弧状に屈曲し上方に延びて内壁部となり、更に下方に屈曲し斜め下方に延びて外壁部となり、内壁部と外壁部によりフック形状をなし、底部１の表面、内壁部の内表面及び外壁部の外表面に至る面は連続しており、該面には、巻き簾状の微少凹凸が形成されている。【選択図】図１
0003190105.tif 000002
【実用新案登録請求の範囲】
【請求項１】
商品が載置される略矩形状の底部と、該底部の縁部に形成される側部とを有する樹脂製の浅底のトレーであって、
４つの側部の中、対峙する２つの側部が、該底部から円弧状に屈曲し上方に延びて内壁部となり、更に下方に屈曲し斜め下方に延びて外壁部となり、該内壁部と該外壁部によりフック形状をなしており、
該底部の表面、該内壁部の内表面及び該外壁部の外表面に至る面は連続しており、該面には、巻き簾状の微少凹凸が形成されていることを特徴とする商品陳列トレー。
【請求項２】
該巻き簾状の微少凹凸は、前後方向に延び左右方向に所定のピッチで複数形成される縦糸状部と、前後方向に円弧断面が連続する波状部とからなることを特徴とする請求項１記載の商品陳列トレー。
【請求項３】
該内壁部と該外壁部間で形成される隙間は、上方に向けて先細り状であることを特徴とする請求項１又は２記載の商品陳列トレー。
【請求項４】
該外壁部の先端は、該底部の底面と同じ線上またはそれより上方に位置することを特徴とする請求項１〜３のいずれか１項に記載の商品陳列トレー。
【請求項５】
４つの側部の中、他の対峙する２つの側部は、該底部の縁部から起立する板状であることを特徴とする請求項１〜４のいずれか１項に記載の商品陳列トレー。
【請求項６】
該底部の裏面には、高さが２〜５ｍｍの脚部が付設されていることを特徴とする請求項１〜５のいずれか１項に記載の商品陳列トレー。
【請求項７】
高さが３０ｍｍ〜４０ｍｍであることを特徴とする請求項１〜６のいずれか１項に記載の商品陳列トレー。
【請求項８】
該商品陳列トレーより高い高さ寸法と、該内壁部と該外壁部間で形成される隙間に嵌る厚み寸法と、該対峙する２つの側部の長さに対応する長さ寸法を有する板状の板材を更に備え、該板材は、請求項１〜７のいずれか１項に記載の商品陳列トレーの該内壁部と該外壁部間で形成される隙間に嵌め込まれ、商品載置面を傾斜状又は嵩上状にすることを特徴とする商品陳列トレー装置。
【請求項９】
該板材が樹脂製であることを特徴とする請求項８記載の商品陳列トレー装置。
【考案の詳細な説明】
【技術分野】
【０００１】
本考案は、スーパーやコンビニなどにおいて、おにぎりや和菓子の陳列に好適な商品陳列トレー及び商品陳列トレー装置に関するものである。
【背景技術】
【０００２】
従来、スーパーやコンビニなどにおいて、おにぎりや和菓子の陳列に好適な商品陳列トレーとしては、種々のものが知られている。このような商品陳列トレーとしては、例えば、商品が載置される略矩形状の底板部と、該底部の縁部に形成される側板部とを有する樹脂製の浅底のトレー、あるいは階段状の載置面を有する陳列棚などが知られている。これらのトレーや陳列棚は、比較的狭い陳列場所を有効に利用したものであり、それなりの評価を得ている。
【考案の概要】
【考案が解決しようとする課題】
【０００３】
しかしながら、樹脂製の浅底のトレーや段差のある陳列棚は、陳列する商品をイメージしたものではなく、陳列の演出に欠けるものであった。また、特価品や特別品を少量販売する際には、陳列面が大き過ぎるという問題があった。従って、陳列する商品のイメージである和風を印象付け、且つ小さな陳列面を形成できる陳列の演出効果の高い商品陳列トレーの開示が望まれていた。
【０００４】
従って、本考案の目的は、小さな陳列面を形成でき、おにぎりや和菓子などの商品のイメージである和風を印象付け、陳列の演出効果の高い商品陳列トレー及び商品陳列トレー装置を提供することにある。
【課題を解決するための手段】
【０００５】
すなわち、本考案は、上記課題を解決したものであって、商品が載置される略矩形状の底部と、該底部の縁部に形成される側部とを有する樹脂製の浅底のトレーであって、４つの側部の中、対峙する２つの側部が、該底部から円弧状に屈曲し上方に延びて内壁部となり、更に下方に屈曲し斜め下方に延びて外壁部となり、該内壁部と該外壁部によりフック形状をなしており、該底部の表面、該内壁部の内表面及び該外壁部の外表面に至る面は連続しており、該面には、巻き簾状の微少凹凸が形成されていることを特徴とする商品陳列トレーを提供するものである。
【０００６】
また、本考案は、該巻き簾状の微少凹凸は、前後方向に延び左右方向に所定のピッチで複数形成される縦糸状部と、前後方向に円弧断面が連続する波状部とからなることを特徴とする前記商品陳列トレーを提供するものである。
【０００７】
また、本考案は、該内壁部と該外壁部間で形成される隙間は、上方に向けて先細り状であることを特徴とする前記商品陳列トレーを提供するものである。
【０００８】
また、本考案は、該外壁部の先端は、該底部の底面と同じ線上またはそれより上方に位置することを特徴とする前記商品陳列トレーを提供するものである。
【０００９】
また、本考案は、４つの側部の中、他の対峙する２つの側部は、該底部の縁部から起立する板状であることを特徴とする前記商品陳列トレーを提供するものである。
【００１０】
また、本考案は、該底部の裏面には、高さが２〜５ｍｍの脚部が付設されていることを特徴とする前記商品陳列トレーを提供するものである。
【００１１】
また、本考案は、高さが３０ｍｍ〜４０ｍｍであることを特徴とする前記商品陳列トレーを提供するものである。
【００１２】
また、本考案は、該商品陳列トレーより高い高さ寸法と、該内壁部と該外壁部間で形成される隙間に嵌る厚み寸法と、該対峙する２つの側部の長さに対応する長さ寸法を有する板状の板材を更に備え、該板材は、前記商品陳列トレーの該内壁部と該外壁部間で形成される隙間に嵌め込まれ、商品載置面を傾斜状又は嵩上状にすることを特徴とする商品陳列トレー装置を提供するものである。
【００１３】
また、本考案は、該板材が樹脂製であることを特徴とする前記商品陳列トレー装置を提供するものである。
【考案の効果】
【００１４】
本考案の商品陳列トレーは、陳列面が巻き簾状であるため、おにぎりや和菓子などの商品のイメージである和風を印象付ける。また、巻き簾状の縦糸部が商品を区画する目安の線となり、整然とした陳列ができる。また、巻き簾は巻き寿司などに使用されるものであり、この形状寸法にほぼ対応しており小さな陳列面を形成でき、陳列の演出効果が高くなる。また、本考案の商品陳列トレー装置は、前後のフック形状に板材を差し込めば、傾斜状の陳列面や嵩高の陳列面を形成することができ、陳列の演出を高めることができる。
【図面の簡単な説明】
【００１５】
【図１】本考案の実施の形態における商品陳列トレーの斜視図である。
【図２】本考案の実施の形態における商品陳列トレーの他の斜視図である。
【図３】図１の商品陳列トレーの一部の断面図である。
【図４】本考案の実施の形態における商品陳列トレー装置の斜視図である。
【図５】図４の商品陳列トレー装置の一部の断面図である。
【図６】本考案の実施の形態における他の商品陳列トレー装置の斜視図である。
【図７】本考案の実施の形態における他の商品陳列トレー装置の斜視図である。
【図８】本考案の実施の形態における他の商品陳列トレー装置の斜視図である。
【考案を実施するための形態】
【００１６】
本考案の実施の形態における商品陳列トレーを図１〜図３を参照して説明する。本明細書において、前後方向、上下方向あるいは左右方向は、フック形状を有する側部が正面に位置する姿勢で見た方向を言う。すなわち、図１中、符号Ｆが正面（前方）である。なお、図１の商品陳列トレーは、前後対称形であり、前後反転しても同様の形状である。
【００１７】
商品陳列トレー１０は、商品が載置される略矩形状の底部１と、底部１の縁部に形成される側部２１、２２、２３、２４とを有する樹脂製の浅底のトレーであって、４つの側部の中、対峙する２つの側部２１、２３（本例では前方及び後方の側部）が、底部１から円弧状に屈曲し上方に延びて内壁部２１２となり、更に下方に屈曲し斜め下方に延びて外壁部２１１となり、内壁部２１２と外壁部２１１によりフック形状をなし、底部１の表面１１、内壁部２１２の内表面２１２ａ及び外壁部２１１の外表面２１１ａに至る面１１２は連続しており、面１１２には、巻き簾状の微少凹凸が形成されているものである。なお、内壁部２１２から外壁部２１１に至る丸み部２１３の表面には、円弧断面形状はあってもなくてもよい（図３参照）。
【００１８】
簾（すだれ）とは、一般的には、葦の茎又は細く割った竹を多数横並べにして糸で結びつけたものであり、隣接する葦の茎（竹）間には微少隙間が形成されている。また、巻き簾とは、巻き寿司を作る際、使用される道具であり、一般に言う簾を小さくしたものである。本考案における巻き簾状とは、巻く簾を模したものであり、図１及び図２に示すように、前後方向に延び左右方向に所定のピッチで複数、本例では２つ形成される縦糸状部１１１と、前後方向に円弧断面が連続する波状部１１３とからなる（図３参照）。
【００１９】
なお、本考案の商品陳列トレー１０は、樹脂成型物であり、隣接する円弧間には隙間は存在しない。また、縦糸状部１１１は、前後方向に連続する約２ｍｍの微少縦突状であり、実際の糸が使用されるものではない。縦糸状部１１１間のピッチは、おにぎりの幅寸法と略同じである。これにより、おにぎりを整然と陳列することができる。また、おにぎりの幅寸法と異なる和菓子の場合、縦糸状部１１１は陳列のひとつの目安となる。また、内壁部２１２は、底部１から円弧状に屈曲し上方に延びている。すなわち、底部１と内壁部２１２の接続部は、滑らかな円弧状となっている。これにより、商品と当接する面積が多くなり、柔らかい陳列となる。この円弧は、半径２０±２ｍｍが好適である。また、円弧状の円弧の形状は特に制限されず、非対称の非正規円弧であってもよい。
【００２０】
また、例えば、仮に四角形の浅底トレーに、前後長さが浅底トレーの寸法より長い本物の巻き簾を置いた場合、浅底トレーの前方壁と後方壁に掛る巻き簾は、下方にだらりと垂れる。本考案は、底部１から円弧状に屈曲し上方に延びて内壁部２１２とし、更に下方に屈曲し斜め下方に延びて外壁部２１１とし、内壁部２１２と外壁部２１１によりフック形状に形成して、全体が、浅底トレーに巻き簾を入れて前後が溢れ出す形状となっており、この形状の特徴を樹脂で再現したものである。このため、陳列する商品に量感を付与できると共に、顧客の目を惹くことができる。また、陳列面が巻き簾状であるため、和風の雰囲気を付与できる。
【００２１】
また、商品陳列トレー１０において、内壁部２１２と外壁部２１１間で形成される隙間３は、上方に向けて先細り状である。これにより、厚みが一定の樹脂製の板材２０をこの隙間３に差し込んで固定すれば、商品陳列トレー装置５０等を得ることができる。
【００２２】
また、商品陳列トレー１０において、外壁部２１１の先端は、底部１の底面と同じ線上またはそれより上方に位置する。これにより、商品陳列トレー１０を平坦な基台に設置すれば、底部１が基台に乗り、設置安定性に優れたものとなる。また、商品陳列トレー１０を持つ際、外壁部２１１の正面あるいは外壁部２１１の横側から手が入るため、把持が容易となる。
【００２３】
また、商品陳列トレー１０において、４つの側部の中、他の対峙する２つの側部２２、２４は、底部１の縁部から起立する板状物である。また、２つの側部２２、２４の内側の面は、平坦面である。これにより、商品陳列トレー１０は、樹脂の一体成型物でありながら、従来の公知の矩形状の浅底トレーに、別部材である巻き簾を載せたようなイメージを顧客に付与でき、陳列の演出効果が高まる。
【００２４】
また、商品陳列トレー１０において、底部１の裏面には、高さが２〜５ｍｍの脚部４が付設されている。脚部は四角形の枠状であることが好ましい。これにより、商品陳列トレー１０の全体のイメージを損なうことなく、安定な設置が可能となる。
【００２５】
また、商品陳列トレー１０において、高さが３０ｍｍ〜４０ｍｍ、縦横長さがそれぞれ３００±１０ｍｍとすることが好ましい。これにより、商品陳列トレー１０の全体のイメージを損なうことなく、小さな陳列面の形成が可能である。
【００２６】
次に、本考案の実施の形態における商品陳列トレー装置を図４〜図８を参照して説明する。商品陳列トレー装置５０は、上記の商品陳列トレー１０と板材２０で形成される。すなわち、板材２０は、商品陳列トレー１０より高い高さ寸法と、内壁部２１２と外壁部２１１間で形成される隙間３に嵌る厚み寸法と、対峙する２つの側部２１、２３の長さ（幅寸法）に対応する長さ寸法を有するものであり、樹脂製であることが好ましい。この板材２０は、商品陳列トレー１０の内壁部２１２と外壁部２１１間で形成される隙間３に嵌め込まれる。図４及び図５の商品陳列トレー装置５０は、後方の側部２３の内壁部２１２と外壁部２１１間で形成される隙間３に板材２０を嵌め込んだものである。これにより、商品載置面は前方下りの傾斜面となる。
【００２７】
次に、図６の商品陳列トレー装置を説明する。図６の商品陳列トレー装置５０ａにおいて、図４の商品陳列トレー装置５０と同一構成要素には同一符号を付して、その説明を省略し、異なる点について、主に説明する。すなわち、商品陳列トレー装置５０ａは、２つの商品陳列トレー１０を使用し、一方の商品陳列トレー１０については、前方及び後方のフック部に、板材２０をそれぞれ嵌め込み、陳列面を嵩上げたものとし、この嵩上げ商品陳列トレー装置を、図１〜図３で示される商品陳列トレー１０の後方側に配置した点にある。このような商品陳列トレー装置５０ａは、雛壇形状とすることができる。
【００２８】
次に、図７の商品陳列トレー装置を説明する。図７の商品陳列トレー装置５０ｂにおいて、図４の商品陳列トレー装置５０と同一構成要素には同一符号を付して、その説明を省略し、異なる点について、主に説明する。すなわち、商品陳列トレー装置５０ｂは、商品陳列トレー１０の前方の側部２１の外壁部２１１にケース部材３０を嵌め込んだ点にある。すなわち、ケース部材３０は商品情報を記載したシールやカードを貼付などするやや後方傾斜の前方部と、前方部の下端から後方に屈曲し、更に上方に屈曲する係止部とを有し、外壁部２１１の全体を覆うように嵌め込まれる。これにより、陳列商品の情報を直接、顧客に提供できる。
【００２９】
次に、図８の商品陳列トレー装置を説明する。図８の商品陳列トレー装置５０ｃにおいて、図４の商品陳列トレー装置５０と同一構成要素には同一符号を付して、その説明を省略し、異なる点について、主に説明する。すなわち、商品陳列トレー装置５０ｃは、商品陳列トレー１０を載せる載置部を有するワゴン４０を使用するものである。すなわち、ワゴン４０は３段の載置部を有し、それぞれの載置部には、商品陳列トレー１０が載置されている。これにより、平坦面を有する基台を使用することなく、立体的な陳列が可能となる。
【００３０】
本考案の商品陳列トレー装置は、上記実施の形態例に限定されず、種々の変形例を採ることができる。例えば、図６において、２段の雛壇に限定されず、３段以上の雛壇であってもよい。この際、段差高さは板材の高さを変えればよい。また、図４の傾斜陳列面を有する商品陳列トレー装置５０を複数個、縦列で並べた装置であってもよい。この場合、２段目以降の傾斜を急傾斜としてもよい。このような急傾斜は、板材の高さを高いものに変えることで実現できる。また、図７の商品陳列トレー装置５０ｂにおいて、ケース部材３０は、図７のものに限定されず、例えば係止部は左右両側に形成されたものであってもよい。また、図８の商品陳列トレー５０ｃの複数段トレーは、３段に限定されず、２段又は４段以上であってもよい。また、図８のような後方傾斜に限定されず、単なる上下の多段であってもよい。
【産業上の利用可能性】
【００３１】
本考案によれば、おにぎりや和菓子などの商品のイメージである和風を印象付ける陳列の演出ができ、顧客の目を引くことが出来、購買意欲を掻き立てる。
【符号の説明】
【００３２】
１      底部
２      側部
３      隙間
４      脚部
１０      商品陳列トレー
２１      前方側部
２２      右方側部
２３      後方側部
２４      左方側部
２１２、２３２      内壁部
２１１、２３１      外壁部
５０、５０ａ〜５０ｃ    商品陳列トレー装置
【図１】
0003190105.tif 000003
【図２】
0003190105.tif 000004
【図３】
0003190105.tif 000005
【図４】
0003190105.tif 000006
【図５】
0003190105.tif 000007
【図６】
0003190105.tif 000008
【図７】
0003190105.tif 000009
【図８】
0003190105.tif 000010